(57)【要約】  【課題】座に浅く腰掛けても腰部を的確に支持するように背もたれのランバーサポート部が前進する椅子において、構造を簡単化する。  【手段】椅子は、座受けベース２と中間部材３と座４とバックフレーム５と背もたれ６とを備えている。座４は下降しつつ後退するように中間部材３に取付けられている。背もたれ６の下部（ランバーサポート部）は、側面視形状が変化し得る樹脂板２１を主要部材として構成されており、樹脂板２１の下端は座４に取付けられている。人が着座すると座４はスライドし、すると、座４による押圧作用によって樹脂板２１は突っ張り作用を受けて前向き凸状に変形し、結果として、樹脂板２１が前向きに突出する。樹脂板２１の曲がり変形はバックフレーム５に設けたガイド体２８によって規制される。【選択図】      図３
2007054152.tif 000002
【特許請求の範囲】
【請求項１】
座と、背もたれと、背もたれを支持するバックフレームとを備えており、背もたれの少なくとも下部を、人が着座すると前向きに突出する変形許容部と成している椅子であって、
前記背もたれの変形許容部を、上端と下端との間の間隔を変えるような突っ張り作用を受けると側面視形状が変化する弾性体で構成する一方、前記バックフレームに、人が着座することによって弾性体が側面視で前向き凸状に変形するようにガイドするガイド体を設けている、
背もたれ付き椅子。
【請求項２】
前記座は、人が着座すると後退しつつ後傾するように座受けベースで支持されている一方、前記変形許容部を構成する弾性体は樹脂板であって、樹脂板の上端はバックフレーム又は背もたれ上部に移動不能に取付けられており、樹脂板の下端は座と一緒に下降しつつ後傾するように座の後部に連結しており、更に、前記ガイド手段は着座した人の腰よりも下方に配置されており、ガイド体を側面視で略前向き凹の湾曲した形態とすることにより、座体が下降しつつ後退すると弾性体が座面よりも上方の位置において側面視で前向き凸状に湾曲するように設定されている、
請求項１に記載した背もたれ付き椅子。
【請求項３】
着座した人が背もたれに凭れ掛かると背もたれ及び座がばね手段に抗して後退しつつ後傾するようになっている、
請求項１又は２に記載した背もたれ付き椅子。
【発明の詳細な説明】
【技術分野】
【０００１】
本願発明は、背もたれ付き椅子に関するものである。
【背景技術】
【０００２】
椅子には様々の種類があり、それぞれの種類に応じて様々の改良がなされている。その例として例えば特許文献１には、着座した人が背もたれにもたれ掛かると座が前傾する椅子が開示されており、他方、特許文献２には、人が着座すると座がその前後略中間部を中心にして側面視で傾動し、この座の後傾動に連動して背もたれが傾動するようになっている椅子が記載されている。両特許文献とも、背もたれを座に連動させる手段としては一種のリンク機構を採用している。
【０００３】
特許文献１のものは、人が着座しただけでは座及び背もたれとも姿勢に変化はなく、着座者が背もたれに凭れる掛かって背もたれに大きなモーメントが掛かると、テコの原理で座の後部が上向きに突き上げられて座が前傾させるものであり、その目的は、ロッキング状態で人の身体を伸ばしやすくすることによって安楽状態を確保せんとするものである。
【０００４】
他方、特許文献２では、例えば人が座の前部に腰掛けると背もたれは大きく前傾して人を前傾姿勢に押し勝手となり、すると、使用者は不快感を感じて座り位置を後ろにずらすことになる。すなわち、特許文献２は、使用者が座の前部に腰掛けるいわゆるチョン掛け（或いはチョイ掛け）を行うと不快感を与えることにより、正しい着座姿勢を取らせるようにしたものである。
【特許文献１】特公昭４４−２０７８４号公報
【特許文献２】特公昭４６−２７５１７号公報
【発明の開示】
【発明が解決しようとする課題】
【０００５】
人が椅子を使用する場合、必ずしも深く腰掛けるとは限らず、浅く腰掛けることはよくある。椅子の使い方は人によって様々であるから、椅子の設計思想としては、腰掛け位置が違っていても使用者にできるだけ負担のない状態を保持させるというユーザーフレンドリーな発想も必要である（オフィス等での業務では、浅く腰掛けることは良くある）。しかし、特許文献２のものは、いわば使用者に深く腰掛ける癖をつけさせようとするもので、使用者に対する配慮が十分とは言い難い。
【０００６】
また、着座した人の身体への負担を軽減するためには腰部を支持することが重要であり、そこで、近年、ランバーサポート付きの椅子が普及しているのであるが、特許文献２のものは背もたれ全体を前傾させるものであるため、浅く腰掛けた状態でランバーサポート機能は確保することはできない。更に、座の動きと背もたれの動きとを連動させる方法としてリンク機構を採用しているため、部材点数が多くてコストが嵩むという点も問題であった。
【０００７】
本願発明は、このような現状を改善することを課題とするものである。
【課題を解決するための手段】
【０００８】
本願発明の椅子は、座と、背もたれと、背もたれを支持するバックフレームとを備えており、背もたれの少なくとも下部を、人が着座すると前向きに突出する変形許容部と成している。そして、前記背もたれの変形許容部を、上端と下端との間の間隔を変えるような突っ張り作用を受けると側面視形状が変化する弾性体で構成する一方、前記バックフレームに、人が着座することによって弾性体が側面視で前向き凸状に変形するようにガイドするガイド体（ガイド手段）を設けている。
【０００９】
請求項２の発明は、請求項１において、前記座は、人が着座すると後退しつつ後傾するように座受けベースで支持されている一方、前記変形許容部を構成する弾性体は樹脂板であって、樹脂板の上端はバックフレーム又は背もたれ上部に移動不能に取付けられており、樹脂板の下端は座と一緒に下降しつつ後傾するように座の後部に連結しており、更に、前記ガイド体は着座した人の腰よりも下方に配置されており、ガイド体を側面視で略前向き凹の湾曲した形態とすることにより、座体が下降しつつ後退すると弾性体が座面よりも上方の位置において側面視で前向き凸状に湾曲するように設定されている。
【００１０】
更に請求項３の発明は、請求項１又は２において、着座した人が背もたれに凭れ掛かると背もたれ及び座がばね手段に抗して後退しつつ後傾するようになっている。
【００１１】
なお、本願発明において変形許容部が前向きに突出するとは、変形許容部を構成する弾性体の全体が前向きに突出するという意味ではなく、弾性体の変形により、弾性体のうち人に当たる部分が前方に移動するという意味である。
【発明の効果】
【００１２】
本願発明の椅子は、人が着座すると背もたれの変形許容部が前向きに突出するため、人が座に浅く腰掛けても着座者の腰部は背もたれの変形許容部によって後ろから支えられる。すなわち背もたれはランバーサポート機能を発揮できるのであり、このため、いわゆるチョン掛けのように浅い腰掛け状態であっても、使用者の身体への負担を著しく軽減できる。
【００１３】
また、背もたれの変形許容部は弾性体の変形を利用して前向き突出させるものであるため、部材点数が少ないと共に構造も簡単で良く、このため、コストを抑制できると共にデザイン的にスッキリとさせることができる。また、リンク機構を用いるた連動機構では、人が離席して負荷がなくなると座や背もたれをニュートラル状態に戻すためのばね手段が必要であるが、本願発明では背もたれを構成する弾性体の弾性復元力によって座及び弾性体をニュートラル状態に戻し得るため専用のばね手段を不要とすることが可能であり、この面でも構造の簡単化とコスト抑制に貢献できる。
【００１４】
人が着座することによって背もたれの弾性体を撓み変形させる手段としては、例えば座の下降動に連動させて弾性体に突っ張り力を作用させるといったことも可能であるが、請求項２のように構成すると、背もたれの変形許容部を構成する樹脂板の後端を座に連結するだけで足り、特段の連動部材は不要であるため、構造をいっそう簡単にできる利点がある。
【００１５】
請求項３のように構成すると、着座位置に関係なく腰部を的確に支えた状態でロッキング機能を保持できるため、特に好適である。
【発明を実施するための最良の形態】
【００１６】
次に、本願発明の実施形態を図面に基づいて説明する。本願発明は事務用等の回転椅子に適用している。
【００１７】
(1).第１実施形態（図１〜図５）
図１〜図５では第１実施形態を示している。図１は椅子の分離側面図、図２のうち（Ａ）は椅子の側面図、（Ｂ）は（Ａ）の部分的な拡大図、（Ｃ）は（Ａ）の部分的な断面図、図３は動きを示す側面図、図４は部材を分離した一部破断概略正面図、図５は図２（Ａ）の V-V視断面図である。
【００１８】
椅子は、ガスシリンダからなる脚支柱１と、その上端に固定した座受けベース２と、座受けベース２に取付けた中間部材３と、中間部材３に取り付けた座４と、座受けベース２に後傾動自在に連結したバックフレーム５と、バックフレーム５で支持された背もたれ６とを備えている。
【００１９】
背もたれ６は、バックフレーム５の上部に固定した上部背もたれ７と、その下方に配置した下部背もたれ（ランバーサポート部）８とを備えており、下部背もたれ８が変形許容部になっている。また、バックフレーム５はその前部を構成する左右のアーム９とこれに取付けられた左右の背支柱１０とで構成されており、上部背もたれ７は背支柱１０の上部に固定されている。図示していないが、脚支柱１は、放射状に延びる複数本の枝杆を有する脚ベースに取付けられており、各枝杆にはキャスターを設けている。
【００２０】
座受けベース２は上向きに開口した箱状に形成されており、その前部に、中間部材３を左右長手の第１軸１１で連結している。中間部材３は、平面視で座受けベース２の左右外側に位置する左右側板３ａと、左右側板３ａを繋ぐ前後の連結部材３ｂとを備えており、前部の連結部材３ｂに、座受けベース２の外側面に近接する前ブラケット板３ｃを溶接等によって固着し、この前ブラケット板３ｃと座受けベース２に第１軸１１が貫通している。座受けベース２における第１軸の挿通穴は側面視で後傾状に延びる長穴１２になっており、このため、第１軸１１は長穴１２に沿ってスライドし得る。長穴１２には樹脂製のブッシュ１３を装着している。
【００２１】
バックフレーム５のアーム９は座受けベース２の外側面に沿って後方に伸びており、アーム９の先端部と座受けベース２の前後中途部とを第２軸１４で連結している。また、中間部材３における後部の連結部材３ｂに固着した左右の後部ブラケット３ｄとアーム９の前後中途部とを左右長手の第３軸１５で連結している。従って、中間部材３とバックフレーム５とは連動して後傾しつつ後退動する。図示していないが、座受けベース２の内部には、第１軸１１の後退動を支持するばねを配置しており、背もたれ６のロッキングはこのばねに抗して行われる。
【００２２】
座４は樹脂製等のインナーシェル４ａの上面にクッションを張った構造になっている。そして、中間部材３における左右側板３ａの前後両端部に左右長手の回転軸を有するガイドローラ（コロ）１７（スライダーでも良い）を取り付ける一方、座４の下面のうち左右両側部でかつ前後２カ所の部位に、中間部材３の外側面に位置する樹脂製（金属製でも良い）で板状の支持部材１８を配置し、支持部材１８に形成した側面視後傾状のガイド穴１９に前記ガイドローラ１７を嵌め入れている。
【００２３】
従って、座４は側面視での姿勢を変えることなく下降しつつ後退しうる。換言すると、前傾したり後傾したりせずに、略水平状の姿勢を保持したままで下降しつつ後退し得る。図４に示すように、左右の支持部材１８は金属板製の補強板２０を介して座４に固定されている。このため、座４のインナーシェル４ａの変形を許容しつつ、支持部材１８はこじれを生じることなくスムースにスライドできる。なお、支持部材１８を中間部材３に設けて、ローラ１７を座４に設けることも可能である。
【００２４】
上部背もたれ７は、上部インナーシェルの前面にクッションを張った構造になっている（クッション無しでもよい）。他方、下部背もたれ８は、主要部材としてポリプロピレン等の樹脂板（下部インナーシェル）２１を備えており、樹脂板２１のうち人に当たる部分の前面にはクッション２２を張っている。もちろん、クッション無しとすることも可能であり、また、人への当たりを柔らかくする手段としては、エラストマー等のゴム質素材を張ることも可能である。また、樹脂板２１に代えて板ばねのような金属板を使用するとも可能である。
【００２５】
図２（Ｂ）に明示するように、樹脂板２１の上端は、上部背もたれ７の下端部裏面に設けた支持体２３に蝶番２４を介して取付けられている。従って、樹脂板２１はその上端を中心にして容易に前後回動し得る。支持部体２３は上部背もたれ７のインナーシェルに一体成形しても良いし、インナーシェルとは別体でも良い。また、樹脂板２１の上端は背支柱１０に取付けても良い。
【００２６】
樹脂板２１の下端（正確には下側の端部）は、座４の後部下面に取付けられている。すなわち、図２（Ｃ）に明示するように、座のインナーシェル４ａの下面に形成した左右複数の軸受部２５に左右長手のロッド２６を取付け、このロッド２６に樹脂板２１の下端部を巻き付けることにより、樹脂板２１の下端部を筒状に形成してその状態をビスで保持している。このため、樹脂板２１の下端部はロッド２６を中心に容易に回動しうる。いうまでもないが、樹脂板２１の下端は座４の下面にビス等によって固定しても良い。或いは、座４の下面部に設けた後ろ向きの係合穴に後方から嵌め込む（係止する）といったことも可能である。
【００２７】
樹脂板２１の左右幅寸法は座４の横幅よりもやや小さい程度の寸法に設定している一方、ロッド２６は左右支持部材１８の間に位置している。このため、樹脂板２１の下端部は、後部の支持部材１８と緩衝しないように多少切欠いて幅狭に形成している。
【００２８】
非着座状態で座４の後端と背支柱１０との間にはかなりの間隔が空いている。そして、背支柱１０には、側面視で座４の後端を仰ぐように斜め上向きに凹状に湾曲したガイド面２７を有するガイド体２８が固着されている。ガイド体２８は樹脂製であり、図５に示すように、左右の背支柱１０にビス止め等によって固定されている。なお、背支柱１０にガイド体２８を一体に設けても良い。
【００２９】
樹脂板２１の背面のうち、非着座状態においてガイド体２８の凹部に位置する部分には、ブロック状で複数段の変形規制体２９を固着又は一体成形している。変形規制体２９は左右ガイド体２８の間に位置しており、このため、変形規制体２９は樹脂板２１の左右ぶれ止めの機能も果たしている。樹脂板２１のうち変形規制体２９を設けた部分は、前向き凹状には変形するが前向き凸状には変形しない。
【００３０】
樹脂板２１のうち上端とガイド体２８との間の部位は、側面視で僅かながら前向き凸状に湾曲している。これは、人が着座することによって樹脂板２１が前向きに突出することの方向性をつけるためである。ガイド体２８は樹脂板２１の上端部まで延びていても良い。
【００３１】
なお、図４に示すように、左右の背支柱１０の下端は連結板３０に連結されており、この連結板３０に設けた左右の軸体３１をアーム９の後ろ向き穴に後方から指し込んでいる。また、左右の背支柱１０は上部においても横桟で連結されている。背支柱１０は板状に形成しているが、丸又は角のパイプ状としたり断面Ｌ型にするなど、形状は任意に設定できる。バックフレームを樹脂の成形品とすることも可能である。また、バックフレーム５を後ろから覆うカバーを設けるなどしても良い。
【００３２】
以上の構成において、人が着座すると、座４は側面視での姿勢を変えることなく下降しつつ後退し、この座４の移動に伴って樹脂板２１はガイド体２８の下端部に向けて押し出される。すると、樹脂板２１の上下長さは不変であるため、樹脂板２１はガイド体２８における湾曲したガイド面２７のガイド作用により、図３に示すようにガイド体２８の上方の部位において前向き凸状に湾曲しつつ前向きに突出する。これにより、人が座４に浅く腰掛けても、当該人の腰部を樹脂板２１で的確に支持してランバーサポート機能を発揮できる。
【００３３】
この場合、樹脂板２１に変形規制体２９を設けたことにより、樹脂板２１のうち変形規制体２９を設けた部分は側面視で略直線状の状態に保持され、このため、樹脂板２１が前向き凸状に湾曲して突出することが確実ならしめられると共に、人の体圧が樹脂板２１に作用しても前向き凸状に湾曲した形状が崩れることはない。すなわち、樹脂板２１は変形規制体２９によって一定の状態に湾曲し、かつ、湾曲した形状が一定に保持される。
【００３４】
人が座４に深く腰掛けても樹脂板２１は同じ量だけ前向きに突出するが、樹脂板２１は柔軟性を持っているため、深く腰掛けた状態でも圧迫感を受けることはなく、むしろ、樹脂板２１が腰にしっかりとフィットすることになる。
【００３５】
人が深く腰掛けたり浅く腰掛けたりまちまちであっても適度のフィット性を確保するための手段として、下部背もたれ８の突出量が腰掛け状態に応じて自動的に調節されれば良い。そのための手段としては、樹脂板２１を平面視でにおいて変形させることの他に、次のようなことが考えられる。
【００３６】
すなわち、(a).図３に点線矢印Ａで示すように、樹脂板２１の上端が逃げ移動することをばね手段（図示せず）で支持し、ある程度以上の抵抗が掛かると樹脂板２１をばね手段に抗して斜め上方に逃がす、(b).上記ａとは逆に、樹脂板２１の下端と座４との間にばね手段を配置し、樹脂板２１を座４の下方に逃がすことにより、ある程度以上の抵抗が掛かると、座４はスライドしても樹脂板２１は変形しないようにする、(c).図３に点線矢印Ｂで示すように、ガイド体２８を後退動又は後傾動しうる状態にバックフレーム５に取付けて、ガイド体２８の後退動又は後傾動をばね手段で支持することにより、ある程度の押圧力が掛かると樹脂板２１が前進しないようにする、(d).樹脂板２１のうち人の腰に当たる部分以外の適当な部位に、外力がある程度以上になると側面視で凸状やジグザグ状に変形するバッファー部を設ける、といったことである。
【００３７】
座４が後方にスライドした状態で人が背もたれ６に凭れ掛かると、背もたれ６は全体として後傾すると共に中間部材３及び座４は後退しつつ僅かに後傾する。すなわち、人の腰を樹脂板２１で的確に支持した状態を保持しつつロッキングするのであり、この点は、従来技術には見られない本実施形態の利点である。また、座４は側面視での姿勢を変えることなくスライドするため、使用者は非ロッキング状態で適正な執務姿勢を取ることができる。この点も本実施形態の利点である。
【００３８】
(2).他の実施形態
図６では他の実施形態を示している。このうち（Ａ）では、変形規制用の板状のリブ３２を樹脂板２１に一体成形している。（Ｂ）に示す第３実施形態では、樹脂板２１を所定の形状に曲げる手段として、樹脂板２１のうち側面視で頂点になる部分が最も薄くても頂点から上下に離れるに従って厚さが厚くなるように設定している。更に、（Ｃ）に示す第４実施形態では、樹脂板２１が平面視で前向き凹状に撓み変形することを容易ならしめるため、樹脂板２１に縦長のスリット３３を複数条並設している。
【００３９】
背もたれの変形許容部は必ずしも樹脂板で構成する必要はない。例えば図６（Ｄ）に第５実施形態として示すように、上下方向に延びる複数本の棒状（或いは帯状）の弾性体３４を配置し、この弾性体３４の前面に当て板３５を取付けるといったことも可能である。いうまでないが、弾性体３４は第１実施形態の樹脂板２１と同様に側面視で前向き凸状に湾曲した状態に変形する。弾性体３４は樹脂製でも良いし、板ばねのような金属製とすることも可能である。
【００４０】
図７に示す第６実施形態は第１実施形態の変形例であり、この実施形態では、背もたれ６は上下に一連に延びる合成樹脂製のインナーシェル３６を備えており、このインナーシェル３６のうち上部背もたれ７を構成する上部インナーシェル３６ａはバックフレーム５に固定された非変形部となしてこれに上部クッション２２′を張っている一方、上部インナーショル３６ａよりも下方の部位の下部インナーシェル３６ｂは着座によって大きく変形し得る変形許容部となしている。下部インナーシェル３６ｂの作用は第１実施形態の樹脂板２１と同じである。
【００４１】
着座によって下部インナーシェル３６ｂが前向き凸状に曲がり変形することを確実にするため、一点鎖線で示すように、下部インナーシェル３６ｂの上端を後方から支持するストッパー２８′を設けてもよい。なお、上部インナーシェル３６ａを非変形部となしていると説明したが、ここにいう「非変形部」とは人が着座しても変形しないという意味であり、腰掛けた人が凭れ掛かることによって変形しても差し支えないのである。背もたれ６のインナーシェル３６と座４のインナーシェルとを一体化することも可能である。
【００４２】
(3).他のバリエーション
図示していないが、本願発明は更に様々のバリエーションに展開できる。例えば、樹脂板２１のような変形許容部の変形量を調節することが可能である。具体的な調節手段としては、第１実施形態の樹脂板２１を例にとると、樹脂板２１の上端又は下端の取付け位置を調節できるようにしたり、座４がスライドし始めてから樹脂板２１に突っ張り力が作用するまでの距離を調節できるようにすることが考えられる。
【００４３】
座をスライドさせる機構としては必ずしもローラ（或いはピン）と長穴との組み合わせには限らず、平行リンク機構やレール機構など、様々の機構を採用できる。座のスライド量が少なく場合は、テコの原理等を応用した増幅手段を設けることにより、弾性体の変形量を大きくしたら良い。背もたれの全体を樹脂板のような弾性板で形成することも可能である。但し、この場合も、人の腰部に当たる部分（ランバーサポート部）が大きく前向き突出するように設定するのが好ましい。
【図面の簡単な説明】
【００４４】
【図１】第１実施形態に係る椅子の分離側面図である。
【図２】（Ａ）は椅子の側面図、（Ｂ）は（Ａ）の部分的な拡大図、（Ｃ）は（Ａ）の部分的な断面図である。
【図３】動きを示す側面図である。
【図４】部材を分離した一部破断概略正面図である。
【図５】図２（Ａ）の V-V視断面図である。
【図６】他の実施形態を示す図である。
【図７】更に他の実施形態を示す図である。
【符号の説明】
【００４５】
１  脚支柱
２  座受けベース
３  中間部材
４  座
５  バックフレーム
６  背もたれ
７  上部背もたれ
８  下部背もたれ（ランバーサポート部）
１０  背支柱
１７  スライド手段を構成するローラ
１８  スライド手段を構成する支持部材
２１  下部背もたれを構成する樹脂板（下部インナーシェル）
２８  ガイド体
【図１】
2007054152.tif 000003
【図２】
2007054152.tif 000004
【図３】
2007054152.tif 000005
【図４】
2007054152.tif 000006
【図５】
2007054152.tif 000007
【図６】
2007054152.tif 000008
【図７】
2007054152.tif 000009